(57)【特許請求の範囲】
【請求項１】
波長の異なる複数のチャネル光を含んだ波長多重信号光を一括して増幅する波長多重用光アンプの動作を制御する制御装置において、
前記波長多重信号光を複数の波長グループに分離する光分離手段と、
該光分離手段で分離した各波長グループを単位として光パワーを測定する光パワー測定手段と、
該光パワー測定手段で測定された１つの波長グループの光パワーに基づいて、前記波長多重用光アンプの動作を制御する制御手段と、
を備えて構成されたことを特徴とする波長多重用光アンプの制御装置。
【請求項２】
請求項１に記載の波長多重用光アンプの制御装置であって、
前記波長多重用光アンプで増幅された波長多重信号光の一部を分岐して、前記光分離手段に出力する光分岐手段を備え、
前記光分離手段が、前記波長多重信号光の波長チャネル間隔に応じて周期的に変化する透過波長特性を有し、前記光分岐手段で分岐された波長多重信号光の一部を、偶数チャネル光を含む偶数グループおよび奇数チャネル光を含む奇数グループに分離し、
前記光パワー測定手段が、前記光分離手段で分離された偶数グループおよび奇数グループについての各光パワーを測定し、
前記制御手段が、前記光パワー測定手段で測定された、偶数グループの光パワーおよび奇数グループの光パワーの一方に基づいて、前記波長多重用光アンプの動作を制御することを特徴とする波長多重用光アンプの制御装置。
【請求項３】
請求項２に記載の波長多重用光アンプの制御装置であって、
前記光分岐手段が、前記波長多重用光アンプから出力される波長多重信号光の一部を分岐する出力側分岐部を有し、
前記制御手段が、前記光パワー測定手段で測定された、偶数グループの光パワーおよび奇数グループの光パワーの一方に基づいて、出力光レベルが一定となるように前記波長多重用光アンプの動作を制御する出力レベル一定制御部を有することを特徴とする波長多重用光アンプの制御装置。
【請求項４】
請求項２に記載の波長多重用光アンプの制御装置であって、
前記光分岐手段が、前記波長多重用光アンプに入力される波長多重信号光の一部を分岐する入力側分岐部と、前記波長多重用光アンプから出力される波長多重信号光の一部を分岐する出力側分岐部と、を有し、
前記光分離手段が、前記入力側分岐部で分岐された波長多重信号光の一部を前記偶数グループおよび前記奇数グループに分離する入力側分離部と、前記出力側分岐部で分岐された波長多重信号光の一部を前記偶数グループおよび前記奇数グループに分離する出力側分離部と、を有し、
前記光パワー測定手段が、前記入力側分離部で分離された偶数グループおよび奇数グループの各光パワーをそれぞれ測定する入力側光パワー測定部と、前記出力側分離部で分離された偶数グループおよび奇数グループの各光パワーをそれぞれ測定する出力側光パワー測定部と、を有し、
前記制御手段が、前記入力側光パワー測定部および前記出力側光パワー測定部でそれぞれ測定された、偶数グループの光パワーおよび奇数グループの光パワーの一方に基づいて、前記波長多重用光アンプの入出力光のレベル差が一定となるように、前記波長多重用光アンプの動作を制御する利得一定制御部を有することを特徴とする波長多重用光アンプの制御装置。
【請求項５】
請求項２に記載の波長多重用光アンプの制御装置であって、
前記制御手段が、外部からの選択信号に従って、前記光パワー測定手段で測定された、偶数グループの光パワーおよび奇数グループの光パワーの一方を選択する選択部を有し、該選択部で選択された光パワーに基づいて、前記波長多重用光アンプの動作を制御することを特徴とする波長多重用光アンプの制御装置。
【請求項６】
請求項５に記載の波長多重用光アンプの制御装置であって、
前記制御手段は、偶数チャネルが増設または減設されるとき、前記選択部により奇数グループの光パワーを選択して制御を行い、奇数チャネルが増設または減設されるとき、前記選択部により偶数グループの光パワーを選択して制御を行うことを特徴とする波長多重用光アンプの制御装置。
【請求項７】
波長の異なる複数のチャネル光を含んだ波長多重信号光を一括して増幅する波長多重用光アンプの動作を制御する制御装置において、
前記波長多重信号光の一部を分岐する光分岐手段と、
前記波長多重信号光の波長チャネル間隔に応じて周期的に変化する透過波長特性を有すると共に、前記光分岐手段で分岐された波長多重信号光の一部が入力される１つの入力ポート、前記透過波長特性に従って前記入力ポートへの入力光より分離した、各波長のチャネル光およびその近傍の雑音光を含む信号成分が出力される第１出力ポート、並びに、前記透過波長特性に従って前記入力ポートへの入力光より分離した、各波長のチャネル光の間の波長帯に存在する雑音光を含む雑音成分が出力される第２出力ポートを具備する光分離手段と、
該光分離手段の第１出力ポートから出力される信号成分の光パワーを測定可能な光パワー測定手段と、
該光パワー測定手段で測定された信号成分の光パワーに基づいて、前記波長多重用光アンプの動作を制御する制御手段と、
を備えて構成されたことを特徴とする波長多重用光アンプの制御装置。
【請求項８】
請求項７に記載の波長多重用光アンプの制御装置であって、
前記光分岐手段が、前記波長多重用光アンプから出力される波長多重信号光の一部を分岐する出力側分岐部を有し、
前記制御手段が、前記光パワー測定手段で測定された信号成分の光パワーに基づいて、出力光レベルが一定となるように前記波長多重用光アンプの動作を制御する出力レベル一定制御部を有することを特徴とする波長多重用光アンプの制御装置。
【請求項９】
請求項７に記載の波長多重用光アンプの制御装置であって、
前記光分岐手段が、前記波長多重用光アンプに入力される波長多重信号光の一部を分岐する入力側分岐部と、前記波長多重用光アンプから出力される波長多重信号光の一部を分岐する出力側分岐部と、を有し、
前記光分離手段が、前記入力側分岐部で分岐された波長多重信号光の一部を前記信号成分および前記雑音成分に分離する入力側分離部と、前記出力側分岐部で分岐された波長多重信号光の一部を前記信号成分および前記雑音成分に分離する出力側分離部と、を有し、
前記光パワー測定手段が、前記入力側分離部で分離された信号成分の光パワーを測定可能な入力側光パワー測定部と、前記出力側分離部で分離された信号成分の光パワーを測定可能な出力側光パワー測定部と、を有し、
前記制御手段が、前記入力側光パワー測定部および前記出力側光パワー測定部でそれぞれ測定された各信号成分の光パワーに基づいて、前記波長多重用光アンプの入出力光のレベル差が一定となるように、前記波長多重用光アンプの動作を制御する利得一定制御部を有することを特徴とする波長多重用光アンプの制御装置。
【請求項１０】
請求項７に記載の波長多重用光アンプの制御装置であって、
前記光パワー測定手段が、前記光分離手段で分離された信号成分および雑音成分の各光パワーを測定可能であるとともに、
前記光パワー測定手段で測定された信号成分および雑音成分の各光パワーと、使用波長に関するチャネル情報とを用いて、前記波長多重信号光のＯＳＮＲの平均値を算出するＯＳＮＲ算出手段を備えたことを特徴とする波長多重用光アンプの制御装置。
【請求項１１】
波長の異なる複数のチャネル光を含んだ波長多重信号光を一括して増幅する波長多重用光アンプの動作を制御する制御方法において、
前記波長多重信号光を複数の波長グループに分離する光分離過程と、
該光分離過程で分離した各波長グループを単位として光パワーを測定する光パワー測定過程と、
該光パワー測定手段で測定された１つの波長グループの光パワーに基づいて、前記波長多重用光アンプの動作を制御する制御過程と、
を含んでなることを特徴とする波長多重用光アンプの制御方法。
【請求項１２】
請求項１１に記載の波長多重用光アンプの制御方法であって、
前記光分離過程が、前記波長多重信号光の一部を分岐して、偶数チャネル光を含む偶数グループおよび奇数チャネル光を含む奇数グループに分離し、
前記光パワー測定過程が、前記光分離過程で分離された偶数グループおよび奇数グループについての各光パワーを測定し、
前記制御過程が、前記光パワー測定過程で測定された偶数グループの光パワーおよび奇数グループの光パワーの一方に基づいて、前記波長多重用光アンプの動作を制御することを特徴とする波長多重用光アンプの制御方法。
【請求項１３】
請求項１２に記載の波長多重用光アンプの制御方法であって、
前記光分離過程が、波長多重用光アンプから出力される波長多重信号光の一部を分岐し、
前記制御過程が、前記光パワー測定過程で測定された偶数グループの光パワーおよび奇数グループの光パワーの一方に基づいて、出力光レベルが一定となるように前記波長多重用光アンプの動作を制御することを特徴とする波長多重用光アンプの制御方法。
【請求項１４】
請求項１２に記載の波長多重用光アンプの制御方法であって、
前記光分離過程が、前記波長多重用光アンプに入力される波長多重信号光の一部を分岐して、前記偶数グループおよび前記奇数グループに分離するとともに、前記波長多重用光アンプから出力される波長多重信号光の一部を分岐して、前記偶数グループおよび前記奇数グループに分離し、
前記光パワー測定過程が、前記光分離過程で分離された入力側および出力側における偶数グループおよび奇数グループの各光パワーをそれぞれ測定し、
前記制御過程が、前記光パワー測定過程でそれぞれ測定された偶数グループの光パワーおよび奇数グループの光パワーの一方に基づいて、前記波長多重用光アンプの入出力光のレベル差が一定となるように、前記波長多重用光アンプの動作を制御することを特徴とする波長多重用光アンプの制御方法。
【請求項１５】
請求項１２に記載の波長多重用光アンプの制御方法であって、
前記制御過程は、偶数チャネルが増設または減設されるとき、奇数グループの光パワーに基づいて制御を行い、奇数チャネルが増設または減設されるとき、偶数グループの光パワーに基づいて制御を行うことを特徴とする波長多重用光アンプの制御方法。
【請求項１６】
波長の異なる複数のチャネル光を含んだ波長多重信号光を一括して増幅する波長多重用光アンプの動作を制御する制御方法において、
前記波長多重信号光の一部を分岐し、該分岐光を、前記波長多重信号光の波長チャネル間隔に応じて周期的に変化する透過波長特性を有する光分離手段の１つの入力ポートに入力し、前記透過波長特性に従って前記入力ポートへの入力光より分離した、各波長のチャネル光およびその近傍の雑音光を含む信号成分を前記光分離手段の第１出力ポートから出力すると共に、前記透過波長特性に従って前記入力ポートへの入力光より分離した、各波長のチャネル光の間の波長帯に存在する雑音光を含む雑音成分を前記光分離手段の第２出力ポートから出力する光分離過程と、
該光分離過程において前記光分離手段の第１出力ポートから出力される信号成分の光パワーを測定する光パワー測定過程と、
該光パワー測定過程で測定された信号成分の光パワーに基づいて、前記波長多重用光アンプの動作を制御する制御過程と、
を含んでなることを特徴とする波長多重用光アンプの制御方法。
【請求項１７】
請求項１６に記載の波長多重用光アンプの制御方法であって、
前記光分離過程が、前記波長多重用光アンプから出力される波長多重信号光の一部を分岐し、
前記制御過程が、前記光パワー測定過程で測定された信号成分の光パワーに基づいて、出力光レベルが一定となるように前記波長多重用光アンプの動作を制御することを特徴とする波長多重用光アンプの制御方法。
【請求項１８】
請求項１６に記載の波長多重用光アンプの制御方法であって、
前記光分離過程が、前記波長多重用光アンプに入力される波長多重信号光の一部を分岐して、前記信号成分および前記雑音成分に分離するとともに、前記波長多重用光アンプから出力される波長多重信号光の一部を分岐して、前記信号成分および前記雑音成分に分離し、
前記光パワー測定過程が、前記光分離過程で分離された入力側および出力側における信号成分の各光パワーをそれぞれ測定し、
前記制御過程が、前記光パワー測定過程でそれぞれ測定された信号成分の光パワーに基づいて、前記波長多重用光アンプの入出力光のレベル差が一定となるように、前記波長多重用光アンプの動作を制御することを特徴とする波長多重用光アンプの制御方法。
【請求項１９】
請求項１６に記載の波長多重用光アンプの制御方法であって、
前記光パワー測定過程が、前記光分離過程で分離された信号成分および雑音成分の各光パワーを測定し、
前記光パワー測定過程で測定された信号成分および雑音成分の各光パワーと、使用波長に関するチャネル情報とを用いて、前記波長多重信号光のＯＳＮＲの平均値を算出するＯＳＮＲ算出過程とを含んでなることを特徴とする波長多重用光アンプの制御方法。
【発明の詳細な説明】
【０００１】
【発明の属する技術分野】
本発明は、光通信で用いられる波長多重信号光を一括して増幅する波長多重用光アンプの動作を制御する制御装置および制御方法に関し、特に、雑音光の影響によって生じる誤差を軽減して精度の高い制御を実現できる波長多重用光アンプの制御装置および制御方法に関する。
【０００２】
【従来の技術】
近年、光波長多重（ＷＤＭ）伝送方式は、光ファイバ伝送路１本あたりの伝送容量を飛躍的に拡大可能な技術として、また、光波ネットワーク構築へつながる基礎技術として注目されている。一方、光アンプは、光信号を電気信号に変換すること無く線形増幅することにより、再生中継間隔を大幅に改善することが可能であるため、特に、幹線系伝送システムにおいて広く用いられている。さらに、光波長多重伝送方式にあっては、複数の光信号を一括して増幅することが可能であることから、光アンプの特長をより有効に生かせる方式である。
【０００３】
従来の光アンプを用いた光伝送システムでは、光増幅中継装置（線形中継局）において電気信号のオーバーヘッド等をモニタして伝送チャネル情報を得ることができないため、その代替手段として監視制御信号光（Optical Supervisory Channel、以下、ＯＳＣ信号光とする）を主信号光に波長多重して用いる方法が知られている。このＯＳＣ信号光は、例えば送信側のＷＤＭ端局装置にて生成され、光増幅中継装置にて終端されると共に、必要な情報は再度ＯＳＣ信号光に乗せられて受信側のＷＤＭ端局装置に転送される。
【０００４】
上記のような光伝送システムで用いられる光アンプのレベル制御方式には、光アンプの出力レベルを一定に保つ制御方式（以下、ＡＬＣ方式とする）と、光アンプの利得（入出力のレベル差）を一定に保つ制御方式（以下、ＡＧＣ方式とする）とがある。
【０００５】
図１０は、一般的なＡＬＣ方式の構成例を示すブロック図である。図１０のようにＡＬＣ方式では、光アンプや光アッテネータ等を有する光レベル制御手段から出力される出力信号光の一部がモニタされ、その平均レベルを一定に保つべく、光アンプの利得や光アッテネータの損失等がフィードバック制御される。
【０００６】
図１１は、一般的なＡＧＣ方式の構成例を示すブロック図である。図１１のようにＡＧＣ方式では、光レベル制御手段への入力信号光の一部および出力信号光の一部がそれぞれモニタされ、入出力光の平均レベルの差を一定に保つべく、光レベル制御手段がフィードバック制御される。
【０００７】
光アンプを光波長多重伝送に用いる場合、ＡＬＣ方式の制御下で、図１０における基準信号を一定値に保ったままで波長チャネル数の変動が起こると、図１２に示すような波長チャネルレベルの変動が起こる。すなわち、例えば、波長チャネル数が２チャネルの設定でＡＬＣ動作している場合に波長チャネル数が４チャネルに変化すると、比較器の基準信号が一定であるため、２チャネルのときの平均レベルと４チャネルのときの平均レベルとが一定となるように光レベル制御手段がフィードバック制御されて、波長チャネル数の変化後の各々の波長チャネルレベルが低下してしまう。従って、ＡＬＣ方式における基準信号は、使用している波長チャネル数に応じて変化させる必要がある。使用している波長チャネル数の情報については、例えば、送信側のＷＤＭ端局装置から光増幅中継装置に伝えられるＯＳＣ信号光を介して得ることが可能であった。
【０００８】
一方、光アンプがＡＧＣ動作している場合には、波長チャネル数が変動しても、図１３に示すように各波長チャネルのレベルは一定に保たれる。すなわち、波長チャネル数が２チャネルから４チャネルに変化しても、入出力光の各平均レベルの差が一定に保たれるため、波長チャネル数の変化前後において各々の波長チャネルレベルは一定に制御される。
【０００９】
【発明が解決しようとする課題】
しかしながら、上記のような従来の光波長多重用光アンプの制御方式では、光信号を線形増幅する際に発生する、自然放出（Amplified Spontaneous Emission：ＡＳＥ）光と呼ばれる雑音光の影響による制御誤差が問題であった。
【００１０】
図１４は、光波長多重伝送信号のスペクトラムを波長チャネル数が８チャネルの場合を例にとって示したものである。図１４において、各波長チャネルのスペクトラムピークの下部に見られるのが、光信号を線形増幅する際に発生するＡＳＥ光である。
【００１１】
ＡＳＥ光のスペクトラム形状は、光アンプの増幅帯域によって決まり、増幅帯域の広い（多くの波長チャネルを増幅することが可能な）光アンプほど広い雑音帯域を持ち、線形増幅を繰り返すたびにＡＳＥ光は累積される。光アンプのレベル制御を行う際にモニタされる光信号は、各波長チャネルの光パワーを個別にモニタするのではなく、光アンプの光出力全体が１つのＰＤ等でモニタされるため、上記のＡＳＥ光が含まれることになり、これは波長チャネル光のレベル制御を行う上では誤差になる。ＡＳＥ光による制御誤差は、広帯域の光アンプを少数の波長チャネル数で使用する場合、例えば、３２チャネル分の波長帯域を持つ光アンプを１チャネルで使用する場合などにおいて、より顕著に表れる。
【００１２】
また、波長多重用光アンプをＡＬＣ動作させる目的は、伝送路ロス変動等による入力信号レベルのドリフトを抑圧して安定な伝送品質を確保することである。このため、波長チャネルの増設または減設を行う場合にも光アンプをＡＬＣ動作させて用いることが望まれる。しかしながら、従来の制御方式では、波長チャネルの増減設を行う際にＡＬＣを一旦中断しなければならなかった。
【００１３】
さらに、光アンプがＡＧＣ動作する場合においては、波長チャネル数が変動しても各波長チャネル光のレベルに影響を与えないようにするために、波長チャネルの増設または減設によって起こるレベル変動の振幅と速度が、ＡＧＣ動作の応答できる範囲内であることが必要となる。しかし、従来の制御方式ではＡＧＣの応答速度が必ずしも十分レベルではなかった。
【００１４】
加えて、図１４において、波長チャネル光のレベルと雑音光のレベルとの比を光信号対雑音比（以下、ＯＳＮＲとする）と呼び、光伝送信号の品質を評価する上で重要なパラメータである。ＯＳＮＲの測定を正確に行うためには、光信号のスペクトラムを測定する必要が有り、広ダイナミックレンジのスペクトラムアナライザが必要となる。しかしながら、ＯＳＮＲの測定を行う目的で各光増幅中継装置にスペクトラムアナライザを設けることは、光増幅中継装置の構成の簡略化といった観点からは必ずしも好ましくない。
【００１５】
本発明は上記の点に着目してなされたもので、雑音光の影響による制御誤差を軽減してより正確な光アンプの制御を実現することを第１の目的とする。また、波長チャネルの増設または減設を行う際にも、伝送路ロス変動等による入力信号レベルのドリフトを抑圧可能な光アンプの制御を実現することを第２の目的とする。さらに、増減設時を行う際の上記のようなＡＧＣ動作の制限を軽減できる光アンプの制御を実現することを第３の目的とする。加えて、光信号のスペクトラムを測定することなく簡易的にＯＳＮＲをモニタできる制御方式を実現することを第４の目的とする。
【００１６】
【課題を解決するための手段】
上記の目的を達成するため、本発明による波長多重用光アンプの制御装置の１つの態様は、波長の異なる複数のチャネル光を含んだ波長多重信号光を一括して増幅する波長多重用光アンプの動作を制御する制御装置において、波長多重信号光を複数の波長グループに分離する光分離手段と、該光分離手段で分離した各波長グループを単位として光パワーを測定する光パワー測定手段と、該光パワー測定手段で測定された１つの波長グループの光パワーに基づいて、前記波長多重用光アンプの動作を制御する制御手段と、を備えて構成されるものである。
【００１７】
かかる構成では、波長多重信号光が光分離手段によって複数の波長グループに分割され、光パワー測定手段によって各波長グループを単位として光パワーが測定される。そして、測定された各波長グループの光パワーのうちの１つが選択されて、該選択された波長グループの光パワーに基づいて、制御手段により、波長多重用光アンプの動作が制御されるようになる。これにより、光アンプの制御に用いられるモニタ光に含まれる雑音光成分の割合が小さくなって、雑音光の影響による制御誤差が軽減されるため、精度の高い制御動作を実現することが可能になる。
【００１８】
また、上記の制御装置については、波長多重用光アンプで増幅された波長多重信号光の一部を分岐して、光分離手段に出力する光分岐手段を備え、光分離手段が、波長多重信号光の波長チャネル間隔に応じて周期的に変化する透過波長特性を有し、光分岐手段で分岐された波長多重信号光の一部を、偶数チャネル光を含む偶数グループおよび奇数チャネル光を含む奇数グループに分離し、光パワー測定手段が、光分離手段で分離された偶数グループおよび奇数グループについての各光パワーを測定し、制御手段が、光パワー測定手段で測定された、偶数グループの光パワーおよび奇数グループの光パワーの一方に基づいて、波長多重用光アンプの動作を制御するようにしてもよい。
【００１９】
かかる構成では、波長多重用光アンプで取り扱われる波長多重信号光の一部が光分岐手段によって分岐され、該分岐された信号光は、光分離手段によって偶数グループおよび奇数グループに分離され、光パワー測定手段によって各々のグループの光パワーが測定される。そして、測定された偶数グループの光パワーおよび奇数グループの光パワーのうちの一方が選択されて、該選択された成分の光パワーに基づいて、制御手段により、波長多重用光アンプの動作が制御されるようになる。
【００２０】
さらに、上記の制御装置については、光分岐手段が、波長多重用光アンプから出力される波長多重信号光の一部を分岐する出力側分岐部を有し、制御手段が、光パワー測定手段で測定された、偶数グループの光パワーおよび奇数グループの光パワーの一方に基づいて、出力光レベルが一定となるように波長多重用光アンプの動作を制御する出力レベル一定制御部を有するようにしてもよい。
【００２１】
かかる構成では、波長多重用光アンプで増幅された波長多重信号光の一部が、出力側分岐部によってモニタ光として分岐され、さらに光分離手段によって偶数グループおよび奇数グループに分離される。そして、光パワー測定手段で測定された偶数グループの光パワーおよび奇数グループの光パワーの一方を基に、出力レベル一定制御部によって、波長多重用光アンプがＡＬＣ動作するように制御される。これにより、雑音光の影響によるＡＬＣのモニタレベル誤差を軽減でき、精度の高いＡＬＣを実現することが可能になる。
【００２２】
加えて、上記の制御装置については、光分岐手段が、波長多重用光アンプに入力される波長多重信号光の一部を分岐する入力側分岐部と、波長多重用光アンプから出力される波長多重信号光の一部を分岐する出力側分岐部と、を有し、光分離手段が、入力側分岐部で分岐された波長多重信号光の一部を偶数グループおよび奇数グループに分離する入力側分離部と、出力側分岐部で分岐された波長多重信号光の一部を偶数グループおよび奇数グループに分離する出力側分離部と、を有し、光パワー測定手段が、入力側分離部で分離された偶数グループおよび奇数グループの各光パワーをそれぞれ測定する入力側光パワー測定部と、出力側分離部で分離された偶数グループおよび奇数グループの各光パワーをそれぞれ測定する出力側光パワー測定部と、を有し、制御手段が、入力側光パワー測定部および出力側光パワー測定部でそれぞれ測定された、偶数グループの光パワーおよび奇数グループの光パワーの一方に基づいて、波長多重用光アンプの入出力光のレベル差が一定となるように、波長多重用光アンプの動作を制御する利得一定制御部を有するようにしてもよい。
【００２３】
かかる構成では、波長多重用光アンプへの入力光および波長多重用光アンプからの出力光がそれぞれモニタされるようになり、入力側光パワー測定部および出力側光パワー測定部でそれぞれ測定された偶数グループの光パワーおよび奇数グループの光パワーの一方を基に、利得一定制御部によって、波長多重用光アンプがＡＧＣ動作するように制御される。これにより、雑音光の影響によるＡＧＣのモニタレベル誤差を軽減でき、精度の高いＡＧＣを実現することが可能になる。
【００２４】
また、前述の制御装置の制御手段については、外部からの選択信号に従って、光パワー測定手段で測定された偶数グループの光パワーおよび奇数グループの光パワーの一方を選択する選択部を有し、該選択部で選択された光パワーに基づいて、波長多重用光アンプの動作を制御するようにしてもよい。具体的には、偶数チャネルが増設または減設されるとき、選択部により奇数グループの光パワーを選択して制御を行い、奇数チャネルが増設または減設されるとき、選択部により偶数グループの光パワーを選択して制御を行うようにするのが好ましい。
【００２５】
かかる構成では、偶数グループと奇数グループのいずれのモニタ値を光アンプの制御に用いるかが外部より選択可能になる。また、波長チャネルの増設若しくは減設が行われる場合には、増減設される波長チャネルを含まない波長グループのモニタ値が選択されることで、波長チャネルの増減設の際にも、光アンプの動作制御が中断することなく継続して行われるようになる。
【００２６】
本発明による波長多重用光アンプの制御装置の他の態様は、波長の異なる複数のチャネル光を含んだ波長多重信号光を一括して増幅する波長多重用光アンプの動作を制御する制御装置において、波長多重信号光の一部を分岐する光分岐手段と、波長多重信号光の波長チャネル間隔に応じて周期的に変化する透過波長特性を有すると共に、光分岐手段で分岐された波長多重信号光の一部が入力される１つの入力ポート、前記透過波長特性に従って入力ポートへの入力光より分離した、各波長のチャネル光およびその近傍の雑音光を含む信号成分が出力される第１出力ポート、並びに、前記透過波長特性に従って入力ポートへの入力光より分離した、各波長のチャネル光の間の波長帯に存在する雑音光を含む雑音成分が出力される第２出力ポートを具備する光分離手段と、該光分離手段の第１出力ポートから出力される信号成分の光パワーを測定可能な光パワー測定手段と、該光パワー測定手段で測定された信号成分の光パワーに基づいて、波長多重用光アンプの動作を制御する制御手段と、を備えて構成されるものである。
【００２７】
かかる構成では、波長多重用光アンプで取り扱われる波長多重信号光の一部が光分岐手段によって分岐され、該分岐された信号光は、光分離手段の１つの入力ポートに入力されることによって信号成分および雑音成分に分離され、該信号成分が第１出力ポートから出力されると共に、雑音成分が第２出力ポートから出力される。そして、光分離手段の第１出力ポート側から出力された信号成分の光パワーが光パワー測定手段によって測定され、該信号成分の光パワーに基づいて、制御手段により、波長多重用光アンプの動作が制御されるようになる。これにより、光アンプの制御に用いられるモニタ光に含まれる雑音光成分の割合が小さくなって、雑音光の影響による制御誤差が軽減されるため、精度の高い制御動作を実現することが可能になる。
【００２８】
また、上記の制御装置については、光分岐手段が、波長多重用光アンプから出力される波長多重信号光の一部を分岐する出力側分岐部を有し、制御手段が、光パワー測定手段で測定された信号成分の光パワーに基づいて、出力光レベルが一定となるように波長多重用光アンプの動作を制御する出力レベル一定制御部を有するようにしてもよい。
【００２９】
かかる構成では、波長多重用光アンプで増幅された波長多重信号光の一部が、出力側分岐部によってモニタ光として分岐され、さらに光分離手段によって信号成分および雑音成分に分離される。そして、光パワー測定手段で測定された信号成分の光パワーを基に、出力レベル一定制御部によって、波長多重用光アンプがＡＬＣ動作するように制御される。これにより、雑音光の影響によるＡＬＣのモニタレベル誤差を軽減でき、精度の高いＡＬＣを実現することが可能になる。
【００３０】
さらに、上記の制御装置については、光分岐手段が、波長多重用光アンプに入力される波長多重信号光の一部を分岐する入力側分岐部と、波長多重用光アンプから出力される波長多重信号光の一部を分岐する出力側分岐部と、を有し、光分離手段が、入力側分岐部で分岐された波長多重信号光の一部を信号成分および雑音成分に分離する入力側分離部と、出力側分岐部で分岐された波長多重信号光の一部を信号成分および雑音成分に分離する出力側分離部と、を有し、光パワー測定手段が、入力側分離部で分離された信号成分の光パワーを測定可能な入力側光パワー測定部と、出力側分離部で分離された信号成分の光パワーを測定可能な出力側光パワー測定部と、を有し、制御手段が、入力側光パワー測定部および出力側光パワー測定部でそれぞれ測定された各信号成分の光パワーに基づいて、波長多重用光アンプの入出力光のレベル差が一定となるように、波長多重用光アンプの動作を制御する利得一定制御部を有するようにしてもよい。
【００３１】
かかる構成では、波長多重用光アンプへの入力光および波長多重用光アンプからの出力光がそれぞれモニタされるようになり、入力側光パワー測定部および出力側光パワー測定部でそれぞれ測定された信号成分の光パワーを基に、利得一定制御部によって、波長多重用光アンプがＡＧＣ動作するように制御される。これにより、雑音光の影響によるＡＧＣのモニタレベル誤差を軽減でき、精度の高いＡＧＣを実現することが可能になる。
【００３２】
加えて、上記の制御装置については、光パワー測定手段が、光分離手段で分離された信号成分および雑音成分の各光パワーを測定可能であるとともに、光パワー測定手段で測定された信号成分および雑音成分の各光パワーと、使用波長に関するチャネル情報とを用いて、波長多重信号光のＯＳＮＲの平均値を算出するＯＳＮＲ算出手段を備えるようにしてもよい。
【００３３】
かかる構成では、光アンプの制御用としてモニタされる信号成分および雑音成分の各光パワーを利用して、波長多重信号光のＯＳＮＲの平均値が、ＯＳＮＲ算出手段により簡易的に算出されるようになる。
【００３４】
本発明による波長多重用光アンプの制御方法の１つの態様は、波長の異なる複数のチャネル光を含んだ波長多重信号光を一括して増幅する波長多重用光アンプの動作を制御する制御方法において、波長多重信号光を複数の波長グループに分離する光分離過程と、該光分離過程で分離した各波長グループを単位として光パワーを測定する光パワー測定過程と、該光パワー測定手段で測定された１つの波長グループの光パワーに基づいて、波長多重用光アンプの動作を制御する制御過程と、を含んでなる方法である。
【００３５】
また、本発明による波長多重用光アンプの制御方法の他の態様は、波長の異なる複数のチャネル光を含んだ波長多重信号光を一括して増幅する波長多重用光アンプの動作を制御する制御方法において、波長多重信号光の一部を分岐し、該分岐光を、前記波長多重信号光の波長チャネル間隔に応じて周期的に変化する透過波長特性を有する光分離手段の１つの入力ポートに入力し、前記透過波長特性に従って入力ポートへの入力光より分離した、各波長のチャネル光およびその近傍の雑音光を含む信号成分を前記光分離手段の第１出力ポートから出力すると共に、前記透過波長特性に従って入力ポートへの入力光より分離した、各波長のチャネル光の間の波長帯に存在する雑音光を含む雑音成分を前記光分離手段の第２出力ポートから出力する光分離過程と、該光分離過程において前記光分離手段の第１出力ポートから出力される信号成分の光パワーを測定する光パワー測定過程と、該光パワー測定過程で測定された信号成分の光パワーに基づいて、波長多重用光アンプの動作を制御する制御過程と、を含んでなる方法である。
【００３６】
【発明の実施の形態】
以下、本発明の実施形態を図面に基づいて説明する。
図１は、本発明による波長多重用光アンプの制御装置の基本構成を示す第１実施形態のブロック図である。第１実施形態では、波長多重用光アンプがＡＬＣ動作するように制御を行う場合について説明する。
【００３７】
図１において、本装置は、光レベル制御部１と、出力側分岐部としての光カプラ２と、光分離手段としての波長チャネル分離フィルタ（Wavelength Channel Separate Filter、以下ＷＣＳＦとする）３と、光パワー測定手段としての光／電気変換部４1，４2と、電気フィルタ（ＬＰＦ）５1，５2と、モニタ信号選択制御部６と、比較器７と、から構成される。ここでは、電気フィルタ（ＬＰＦ）５1，５2、モニタ信号選択制御部６および比較器７が出力レベル一定制御部として機能する。
【００３８】
光レベル制御部１は、入力信号光を一括して増幅可能な、例えば希土類元素ドープ光ファイバアンプ等の公知の光アンプを備えて構成される。また、上記光アンプで増幅されたＷＤＭ信号光のレベルを調整する可変光アッテネータを有するようにしてもよい。この光レベル制御部１では、光アンプの利得または可変光アッテネータの減衰量が比較器７からの出力信号に応じて調整されることで、出力レベルが一定に制御された出力信号光が生成される。
【００３９】
光カプラ２は、光レベル制御部１から出力される出力信号光の一部を分岐して、該分岐光をＷＣＳＦ３のポートＰｃに送る。
ＷＣＳＦ３は、ＷＤＭ信号光の波長チャネル間隔に応じて周期的に変化する透過波長特性を有し、ポートＰｃに入力されたＷＤＭ信号光を偶数チャネル光を含む偶数グループと奇数チャネル光を含む奇数グループとに分離して、偶数グループをポートＰ１から出力し、奇数グループをポートＰ２から出力する。
【００４０】
図２は、ＷＣＳＦ３の透過波長特性を説明する図である。
図２（Ａ）は、ポートＰｃに入力されるＷＤＭ信号光の光電力の波長特性を示すものである。ここでは、例えば８つの波長λ１〜λ８のチャネル光が等間隔で配置されている場合を考えることにする。なお、各チャネル光のスペクトラムピークの下部に見られるのがＡＳＥ光成分である。
【００４１】
図２（Ｂ）は、ＷＣＳＦ３のポートＰｃからポートＰ１への透過波長特性を模式的に示したものである。具体的には、偶数波長λ２，λ４，λ６，λ８をそれぞれ中心とする所定の波長幅について透過率が高くなり、奇数波長λ１，λ３，λ５，λ７をそれぞれ中心とする所定の波長幅について透過率が低くなる。なお、ポートＰｃからポートＰ２への透過波長特性は、（Ｂ）の特性を反転させたものとなる。
【００４２】
図２（Ｃ）は、ＷＣＳＦ３のポートＰ１からの出力光についての光電力の波長特性を示すものであって、偶数波長λ２，λ４，λ６，λ８の各チャネル光およびその近傍のＡＳＥ光を含んだ成分（偶数グループ）が、ポートＰ１から出力されることが分かる。また、図２（Ｄ）は、ＷＣＳＦ３のポートＰ２からの出力光についての光電力の波長特性を示すものであって、奇数波長λ１，λ３，λ５，λ７の各チャネル光およびその近傍のＡＳＥ光を含んだ成分（奇数グループ）が、ポートＰ２から出力されることが分かる。
【００４３】
上記のような特性を有するＷＣＳＦ３の具体例としては、例えば、U. S. Patent 5,809,190 号明細書で公知の技術を適用することが可能であり、また例えば、ITF Optical Technologies社製のMach-Zehnder InterleaverTM等を使用することもできる。ただし、本発明に用いるＷＣＳＦは上記のものに限定されるものではない。
【００４４】
各光／電気変換部４1，４2は、ＷＣＳＦ３の各ポートＰ１，Ｐ２からそれぞれ出力される光信号をを受光して電気信号に変換するものであり、ＷＤＭ信号光の波長帯域に対応した一般的な受光器を用いることができる。
【００４５】
各電気フィルタ５1，５2は、各光／電気変換部４1，４2からそれぞれ出力される電気信号に含まれる不要な成分を除去すると共に、制御ループの時定数を調整する機能を具備するものである。
【００４６】
モニタ信号選択制御部６は、例えば外部等から与えられる選択信号ＳＥＬに従って、電気フィルタ５1，５2から出力される各信号のうちの一方を選択して出力するものであって、ここでは選択部として機能する。選択信号ＳＥＬは、光レベル制御部１から出力されるＷＤＭ信号光に含まれる波長チャネル光の使用状況に応じ、ＡＬＣに用いるモニタ信号として偶数グループを用いるか奇数グループを用いるかを決定する信号である。偶数グループを用いる場合には、電気フィルタ５1からの出力信号を選択して比較器７に出力し、奇数グループを用いる場合には、電気フィルタ５2からの出力信号を選択して比較器７に出力する。
【００４７】
比較器７は、モニタ信号選択制御部６で選択されたモニタ信号と、ＷＤＭ信号光に含まれる波長チャネル光の使用状況に応じて設定された基準信号とが入力され、基準信号レベルに対するモニタ信号レベルの大小関係が比較される。具体的には、例えば基準信号レベルとモニタ信号レベルの差に応じた信号等が生成され、該信号が光レベル制御部１に出力されるものとする。この比較器７からの出力信号を受けて、光レベル制御部１では、光アンプの利得または可変光アッテネータの減衰量が調整される。
【００４８】
上記のような構成の制御装置では、入力信号光が光レベル制御部１の光アンプで増幅された後（可変光アッテネータを有する場合には減衰された後）、光カプラ２を介して外部に出力されると共に、その出力信号光の一部が分岐されてＷＣＳＦ３のポートＰｃに送られる。
【００４９】
ＷＣＳＦ３では、ポートＰｃから入力されたＷＤＭ信号光が偶数グループおよび奇数グループに分離され、ポートＰ１およびポートＰ２からそれぞれ出力される。ここで注目すべきは、各ポートＰ１，Ｐ２から出力されるＡＳＥ光成分が、ポートＰｃに入力されるＡＳＥ光成分に比べて半減することである（図２（Ａ）（Ｃ）（Ｄ）を参照のこと）。すなわち、入力信号光に含まれる波長チャネル光の数（使用波長数）が少なかった場合を考えてみると（例えば、図２（Ａ）において、使用波長がλ１のみであった場合など）、ＷＣＳＦ３を通過する前のＡＳＥ光成分は光アンプの増幅帯域全体に亘って存在するが、ＷＣＳＦ３を通過した後、一方のポートから出力されるＡＳＥ光成分は通過前の約半分になっているため、後段の各光／電気変換部で検出されるトータル光パワーに占めるＡＳＥ光成分の割合が軽減されるようになる。このことは、使用波長数が少数の場合におけるＡＬＣのレベルモニタ誤差がＷＣＳＦ３を用いることによって改善されることを意味する。
【００５０】
ＷＣＳＦ３で偶数グループおよび奇数グループに分離された各光信号は、光／電気変換部４1，４2で光電変換された後に各電気フィルタ５1，５2を介してモニタ信号選択制御部６にそれぞれ送られる。モニタ信号選択制御部６では、外部からの選択信号ＳＥＬに従って、電気フィルタ５1からの出力信号（偶数グループのトータル光レベルに対応）および電気フィルタ５2からの出力信号（奇数グループのトータル光レベルに対応）の一方が選択され、ＡＬＣのモニタ信号として出力される。例えば、上記のように使用波長がλ１のみであった場合には、奇数グループを選択するように設定された選択信号ＳＥＬに従って、電気フィルタ５2からの出力信号が選択されて比較器７に送られる。選択信号ＳＥＬの設定方法としては、偶数波長と奇数波長において使用波長が多い方を選択するような設定にするのが望ましい。このように設定することで、選択された光信号のトータル光パワーに占めるＡＳＥ光成分の割合をより軽減することができる。
【００５１】
モニタ信号選択制御部６からのモニタ信号を受けた比較器７では、モニタ信号レベルが基準信号レベルと比較されて、レベル差に応じた出力信号が光レベル制御部１に送られる。ここで用いられる基準信号は、選択されたモニタ信号に含まれる使用波長数に応じて設定された信号であり、例えば、使用波長がλ１のみであった場合には、波長λ１のチャネル光について要求される光パワーに、ＷＣＳＦ３で奇数グループとして分離され得るＡＳＥ光パワーを加えた値に対応した信号レベルとされる。
【００５２】
光レベル制御部１では、比較器７からの出力信号で示されるレベル差に応じて、光アンプの利得が制御される（可変光アッテネータを有する場合には、光減推量が制御されるようにしてもよい）。光アンプの利得が制御される場合を具体的に考えてみると、モニタ信号レベルが基準信号レベルよりも大きいときには、光アンプの利得がレベル差に対応した分だけ小さくなるように調整され、一方、モニタ信号レベルが基準信号レベルよりも小さいときには、光アンプの利得がレベル差に対応した分だけ大きくなるように調整される。これにより、出力信号光レベルは、基準信号に対応した所要の一定レベルに制御されるようになる。
【００５３】
ここで、使用波長チャネルが増設または減設されるときにおける本装置の制御動作について説明する。ただし、同時に増設または減設される波長チャネルは、偶数波長または奇数波長のいずれかであるものとする。
【００５４】
例えば、図２（Ａ）に示したように波長λ１〜λ８のすべてが使用されている状態から、波長λ８のチャネル光が使用されなくなるような減設が行われる場合を考える。この場合には、選択信号ＳＥＬが奇数グループに対応するモニタ信号を必ず選択するように設定されると共に、基準信号が奇数グループに対応したレベルに設定されて、減設の際にも、減設チャネルを含まない奇数グループのモニタ光パワーに基づくＡＬＣが実施される。これにより、従来、減設時には中断されていたＡＬＣ動作が継続的に行われるようになる。増設時についても上記の場合と同様にして、増設される波長チャネルを含まない成分のモニタ光パワーに基づくＡＬＣが継続的に実施される。
【００５５】
上記のように第１実施形態によれば、ＡＬＣのモニタ光として分岐した出力信号光の一部をＷＣＳＦ３を用いて偶数グループと奇数グループに分離し、一方の成分のモニタ光パワーに基づいて光レベル制御部１を出力レベル一定制御するようにしたことで、ＡＳＥ光成分によるＡＬＣのレベルモニタの誤差が軽減されるため、精度の高いＡＬＣ動作を実現することが可能になる。また、波長チャネルの増設または減設を行う際にも、ＡＬＣ動作を継続的に行うことができるため、例えば、伝送路損失の変動等による入力信号光レベルのドリフトを増減設時にも抑圧可能なＷＤＭ用光アンプの制御装置を提供することが可能である。
【００５６】
次に、本発明の第２実施形態について説明する。ここでは、波長多重用光アンプがＡＧＣ動作するように制御を行う場合について考える。
図３は、本発明による波長多重用光アンプの制御装置の基本構成を示す第２実施形態のブロック図である。ただし、第１実施形態の構成と同じ部分には同一の符号が付してあり、以下同様とする。
【００５７】
図３の制御装置は、第１実施形態の構成について、光レベル制御部１の入力側にも入力信号光の一部をモニタする構成を配置し、入出力光のレベル差を基に光レベル制御部１をＡＧＣ動作させるものである。具体的には、第１実施形態の出力側の構成と同様にして、光レベル制御部１の入力側についても、入力信号光の一部を分岐する光カプラ８と、該光カプラ８で分岐された光信号を偶数グループおよび奇数グループに分離するＷＣＳＦ９と、該ＷＣＳＦ９のポートＰ１から出力される偶数グループの光信号を電気信号に変換する光／電気変換部１０1と、ＷＣＳＦ９のポートＰ２から出力される奇数グループの光信号を電気信号に変換する光／電気変換部１０2と、各光／電気変換部１０1，１０2からそれぞれ出力される電気信号に含まれる不要な成分を除去すると共に、ＡＧＣのループ時定数を調整する機能を具備する電気フィルタ（ＬＰＦ）１１1，１１2と、各電気フィルタ１１1，１１2から出力される各信号のうちの一方を選択信号ＳＥＬに従い選択して出力するモニタ信号選択制御部１２とが設けられる。そして、入力側のモニタ信号選択制御部１２から出力されるモニタ信号のレベルと、出力側のモニタ信号選択制御部６から出力されるモニタ信号のレベルとが比較器７’において比較され、該比較結果に応じて、入出力光のレベル差が一定となるように光レベル制御部１の動作が制御される。
【００５８】
従って、第２実施形態では、光カプラ８および光カプラ２が入力側分岐部および出力側分岐部に相当し、ＷＣＳＦ９およびＷＣＳＦ３が入力側分離部および出力側分離部に相当し、光／電気変換部１０1，１０2および光／電気変換部４1，４2が入力側光パワー測定部および出力側光パワー測定部に相当し、電気フィルタ１１1，１１2，５1，５2、モニタ信号選択制御部１３，６および比較器７’が利得一定制御部に相当する。
【００５９】
上記のような構成の制御装置では、光レベル制御部１に対して入出力される各ＷＤＭ信号光の一部が光カプラ８，２で分岐されて各ＷＣＳＦ９，３のポートＰｃにそれぞれ送られる。各ＷＣＳＦ９，３では、ポートＰｃに入力されたＷＤＭ信号光が偶数グループおよび奇数グループに分離され、ポートＰ１およびポートＰ２からそれぞれ出力される。各ＷＣＳＦ９，３のポートＰ１，Ｐ２からの出力光は、各々のポートに接続された光／電気変換部１０1，１０2，４1，４2でそれぞれ電気信号に変換された後に、電気フィルタ１１1，１１2，５1，５2をそれぞれ介して各モニタ信号選択制御部１２，６に送られる。
【００６０】
各モニタ信号選択制御部１２，６では、第１実施形態の場合と同様にして、外部からの選択信号ＳＥＬに従って、電気フィルタ１１1，５1からの出力信号（偶数グループのトータル光レベルに対応）および電気フィルタ１１2，５2からの出力信号（奇数グループのトータル光レベルに対応）の一方が選択され、ＡＧＣのモニタ信号として比較器７’にそれぞれ出力される。そして、比較器７’では、入力側のモニタ信号選択制御部１２からのモニタ信号レベルと、出力側のモニタ信号選択制御部６からのモニタ信号レベルとが比較され、レベル差に応じた出力信号が光レベル制御部１に送られる。この入出力光のレベル差が、光レベル制御部１における利得に対応することになる。光レベル制御部１では、比較器７’からの出力信号で示されるレベル差が、予め設定されたレベル差（利得）で一定となるように、例えば光アンプ等の光増幅動作（利得設定）が調整される。
【００６１】
また、使用波長チャネルが増設または減設されるときには、上述した第１実施形態の場合と同様にして、増設または減設される波長チャネルを含まない偶数グループまたは奇数グループに対応するモニタ信号が選択されＡＧＣが継続される。これにより、増減設を行う際に発生するレベル変動の振幅や速度について、ＡＧＣの制御ループの応答速度による制限が軽減されるようになる。
【００６２】
上記のように第２実施形態では、ＡＧＣのモニタ光として分岐した、入力信号光の一部および出力信号光の一部をＷＣＳＦ９およびＷＣＳＦ３を用いて偶数グループと奇数グループにそれぞれ分離し、一方の成分のモニタ光パワーに基づいて光レベル制御部１を利得一定制御するようにしたことで、ＡＳＥ光成分によるＡＧＣのレベルモニタ誤差が軽減されると共に、波長チャネルの増設または減設時におけるＡＧＣの制御ループの応答速度による制限が軽減されるため、より精度の高いＡＧＣ動作を実現することが可能になる。
【００６３】
次に、本発明の第３実施形態について説明する。ここでは、上述した第１、２実施形態の各基本構成を組み合わせてＡＬＣとＡＧＣとを同時に実現させたＷＤＭ用光アンプの制御装置の具体例について考える。
【００６４】
図４は、第３実施形態にかかるＷＤＭ用光アンプの制御装置の構成を示す図である。
図４において、本装置は、例えば、前段光増幅部１Ａおよび後段光増幅部１Ｂを可変光アッテネータ１Ｃを介して縦続接続した２段増幅構成のＷＤＭ用光アンプについて、上述した第１、２実施形態の各基本構成を適用したものである。
【００６５】
具体的には、上述の光レベル制御部１に相当する、前段光増幅部１Ａおよび後段光増幅部１Ｂのそれぞれに対し、上述の図３に示した基本構成を適用して、各段の光増幅部１Ａ，１ＢをＡＧＣ動作させると共に、後段光増幅部１Ｂの出力側に配置したモニタ信号選択制御部６から出力されるモニタ信号に基づいて、出力信号光のレベルが一定になるように中段の可変光アッテネータ１Ｃの減衰量を制御するＡＬＣ回路（比較器）７が設けられる。なお、前段および後段の各光増幅部１Ａ，１Ｂに対応して設けられた各々のＡＧＣ回路７’は、図３に示した比較器と同様の機能を有するものである。
【００６６】
前段光増幅部１Ａおよび後段光増幅部１Ｂの具体例として、図４にはエルビウムドープ光ファイバアンプの基本構成を示した。すなわち、各光増幅部１Ａ，１Ｂは、エルビウムドープ光ファイバ（ＥＤＦ）１ａと、ＥＤＦ１ａを励起状態とすることが可能な波長帯の励起光を発生する励起光源（ＬＤ）１ｂと、該励起光源１ｂで発生した励起光をＥＤＦ１ａに供給するＷＤＭカプラ１ｃとを有する構成であって、励起光源１ｂの駆動状態がＡＧＣ回路７’からの出力信号に応じて調整されることにより、光増幅の利得が一定に制御される。
【００６７】
なお、図４には前方励起型の構成を示したが、本発明が適用される光増幅部の構成は、後方励起型や双方向励起型の構成であってもよい。加えて、ここではエルビウムドープ光ファイバアンプを用いる場合を示したが、本発明はこれに限らず、エルビウム以外の他の希土類元素をドープした希土類元素ドープ光ファイバアンプや半導体光増幅器等に対しても適用することが可能である。
【００６８】
また、本装置は、外部より送られるＯＳＣ信号光を処理して、各モニタ信号選択制御部６，１２に送る選択信号ＳＥＬを生成するための構成を備えるものとする。具体的には、ＯＳＣ受光部（ＯＳＣ Ｏ／Ｅ）２０と、光アンプ総合制御部２１と、ＯＳＣ発光部（ＯＳＣ Ｅ／Ｏ）２２と、が設けられる。ＯＳＣ受光部２０は、入力信号光に含まれるＯＳＣ信号光を抽出して電気信号に変換するものである。光アンプ総合制御部２１は、ＯＳＣ受光部２０からの出力信号を用いて入力信号光に含まれる主信号光のチャネル情報を識別し、該チャネル情報を基に選択信号ＳＥＬを生成すると共に、識別したチャネル情報のうちの必要な情報を再度ＯＳＣ信号光に乗せて下流側に転送するための電気信号を生成する。ＯＳＣ発光部２２は、光アンプ総合制御部２１から出力される電気信号に従ってＯＳＣ信号光を生成するものである。
【００６９】
さらに、本装置は、光アンプ総合制御部２１で識別されたチャネル情報および選択信号ＳＥＬに基づいて、ＡＬＣの基準レベルを設定する基準信号を発生するＡＬＣ基準信号制御部２３も備えるものとする。
【００７０】
上記のような構成の制御装置では、入力信号光に含まれる主信号光が前段光増幅部１Ａに送られて増幅されると共に、入力信号光に含まれるＯＳＣ信号光がＯＳＣ受光部２０で光電変換されて光アンプ総合制御部２１に送られる。前段光増幅部１Ａへの入力光の一部および前段光増幅部１Ａからの出力光の一部は、第２実施形態の場合と同様にして、ＷＣＳＦ９，３を介してモニタされ、選択信号ＳＥＬに従って各モニタ信号選択制御部１２，６で選択された偶数グループおよび奇数グループの一方に対応するモニタ信号がＡＧＣ回路７’に送られる。ＡＧＣ回路７’では、各モニタ信号選択制御部１２，６からのモニタ信号を基に入出力光のレベル差が判断されて、前段光増幅部１Ａを利得一定で動作させる制御信号が出力される。
【００７１】
このとき各モニタ信号選択制御部１２，６で用いられる選択信号ＳＥＬは、光アンプ総合制御部２１で生成された信号が用いられる。光アンプ総合制御部２１においては、ＯＳＣ受光部２０を介して入力されるＯＳＣ信号光に対応した電気信号を基に、主信号光に含まれる波長チャネルの番号、チャネル数、増設または減設に関する情報を示すチャネル情報が識別され、該チャネル情報に従って偶数グループおよび奇数グループの一方の選択を指示する選択信号ＳＥＬが生成される。この選択信号ＳＥＬは、前段側および後段側の各モニタ信号選択制御部１２，６にそれぞれ送られると共に、ＡＬＣ基準信号制御部２３にも送られる。また、識別されたチャネル情報は、前段側および後段側の各ＡＧＣ回路７’およびＡＬＣ回路７に送られ、ＡＧＣおよびＡＬＣの設定基準の変更に用いられる。さらに、光アンプ総合制御部２１では、識別したチャネル情報のうちの必要な情報をＯＳＣ発光部２２を介してＯＳＣ信号光として外部に送信する。
【００７２】
ＡＧＣ動作する前段光増幅部１Ａで増幅された主信号光は、可変光アッテネータ１Ｃを介して後段光増幅部１Ｂに送られ増幅される。後段光増幅部１Ｂへの入力光の一部および後段光増幅部１Ｂからの出力光の一部についても、上記前段側の場合と同様にして、偶数グループおよび奇数グループの一方が選択的にモニタされ、ＡＧＣ回路７’により後段光増幅部１Ｂが利得一定制御される。また、出力側のモニタ信号選択制御部６から出力されるモニタ信号は、ＡＬＣ回路７にも送られる。ＡＬＣ回路７では、上述した第１実施形態の場合と同様にして、モニタ信号選択制御部６からのモニタ信号レベルとＡＬＣ基準信号制御部２３からのＡＬＣ基準信号レベルとが比較され、該比較結果に応じて、主信号光の出力レベルが一定となるように可変光アッテネータ１Ｃの減衰量を調整する制御信号が出力される。
【００７３】
上記のような制御動作により、前段光増幅部１Ａおよび後段光増幅部１ＢはそれぞれＡＧＣ動作し、また、可変光アッテネータ１Ｃの減衰量がフィードバック制御されることで光アンプ全体としてＡＬＣ動作するようになる。
【００７４】
波長チャネルの増設または減設が生じた場合には、上述の第１実施形態において説明したのと同様に、増減設される波長チャネルを含んでいない偶数グループまたは奇数グループに対応するモニタ信号が選択信号ＳＥＬによって選択されることで、増減設時においてもＡＬＣおよびＡＧＣの各動作が維持される。
【００７５】
図５は、波長チャネルの増設（減設）時における具体的な制御動作の一例を示したフローチャートである。
図５に示すように、波長チャネルの増設（減設）が生じた場合には、まず、ステップ１（図中Ｓ１で示し、以下同様とする）で、図示しない送信（上流）側端局装置より受信（下流）側装置に向けて、波長チャネルの増設（減設）に関する情報が送信される。ステップ２では、波長チャネルの増設（減設）に関する情報がＯＳＣ信号光を介して本装置の光アンプ総合制御部２１で受信される。
【００７６】
そして、ステップ３では、光アンプ総合制御部２１において、増設（減設）の対象が偶数チャネルであるか奇数チャネルであるかが判定される。偶数チャネルと判定された場合にはステップ４1に進む。
【００７７】
ステップ４1では、増設（減設）前において選択されているモニタ信号が偶数グループに対応したものであるか否かが判定される。偶数グループが選択されている場合には、ステップ５1に進み、選択信号ＳＥＬが奇数グループを選択する内容を示すものに変更される。一方、奇数グループが選択されている場合には、現状の選択信号ＳＥＬを維持してステップ６1に移る。そして、ステップ６1では、ＡＬＣ基準信号が奇数グループに対応したものに更新され、ステップ７に移る。
【００７８】
また、上記のステップ３で増設（減設）の対象が奇数チャネルと判定された場合には、ステップ４2に進んで、増設（減設）前において選択されているモニタ信号が奇数グループに対応したものであるか否かが判定される。奇数グループが選択されている場合には、ステップ５2に進み、選択信号ＳＥＬが偶数グループを選択する内容を示すものに変更される。一方、偶数グループが選択されている場合には、現状の選択信号ＳＥＬを維持してステップ６2に移る。そして、ステップ６2では、ＡＬＣ基準信号が偶数グループに対応したものに更新され、ステップ７に移る。
【００７９】
ステップ７では、波長チャネルの増設（減設）の準備が完了したことが、図示しないが逆方向のＯＳＣ信号光を経由して上流側の端局に通知される。そして、ステップ８では、下流側の装置からの増設（減設）準備完了の通知を受けた端局にて波長チャネルの増設（減設）が実施される。
【００８０】
このように第３実施形態によれば、例えば２段増幅構成の公知のＷＤＭ用光アンプについて、ＷＣＳＦを利用したレベルモニタ方式により、前段および後段の各光増幅部１Ａ，１ＢのＡＧＣとＡＬＣを同時に実施するようにしたことで、ＡＳＥ光成分によるレベルモニタ誤差が軽減された、より一層精度の高いＷＤＭ信号光の増幅動作を実現できる。また、ＯＳＣ信号光を利用して選択信号ＳＥＬを生成するようにしたことで、各種ＷＤＭ光伝送システムにおける光増幅中継装置としての本発明の適用を容易に行うことが可能である。
【００８１】
なお、上述した第１〜３実施形態では、ＷＤＭ信号光をＷＣＳＦを用いて偶数グループと奇数グループに分離するようにしたが、本発明はこれに限らず、ＷＤＭ信号光を複数の波長グループに分割しさえすれば、ＡＳＥ光成分によるレベルモニタ誤差の軽減を図ることが可能である。例えば、図６（Ａ）に示すように、ＷＤＭ信号光について、信号光帯域の中心付近を境に第１波長グループと第２波長グループに分け、一方の波長グループ（図では第１波長グループ）について測定した光パワーを基に光アンプを制御してもよい。また例えば、図６（Ｂ）に示すように、ＷＣＳＦを用いて、隣り合う２以上の波長チャネル（図では隣り合う２つの波長チャネル）を１つのまとまりとして周期的に分離するようにしても構わない。
【００８２】
次に、本発明の第４実施形態について説明する。
第４実施形態では、上述した第１〜３実施形態が、モニタ用として分岐したＷＤＭ信号光をＷＣＳＦを用いて偶数グループと奇数グループに分離し一方の成分を選択してＡＬＣやＡＧＣを行うものであったのに対し、ＷＣＳＦの周期的な透過波長特性を変更して、モニタ用信号光を信号成分と雑音成分とに分離してＡＬＣを行うようにした場合を考える。
【００８３】
図７は、第４実施形態にかかる波長多重用光アンプの制御装置の構成を示す図である。
図７において、本装置の構成が上述の図１に示した第１実施形態の構成と異なる部分は、ＷＣＳＦ３に代えて周期的な透過波長特性の異なるＷＣＳＦ３’を使用すると共に、モニタ信号選択制御部６を省略して電気フィルタ５1からの出力信号を比較器７に送る構成とし、さらに、出力信号光のＯＳＮＲを監視するＯＳＮＲ算出手段としてのＯＳＮＲモニタ１３を設けた部分である。上記以外の他の部分の構成は第１実施形態の場合と同様であるためここでの説明を省略する。
【００８４】
ＷＣＳＦ３’は、ＷＤＭ信号光の波長チャネル間隔に応じて周期的に変化する透過波長特性を有し、ポートＰｃに入力されたＷＤＭ信号光を、各波長のチャネル光およびその近傍の雑音光を含む信号成分と、各波長のチャネル光の間の波長帯に存在する雑音光を含む雑音成分とに分離して、信号成分をポートＰ１から出力し、雑音成分をポートＰ２から出力するものである。
【００８５】
図８は、ＷＣＳＦ３’の透過波長特性を説明する図である。
図８（Ａ）は、ポートＰｃに入力されるＷＤＭ信号光の光電力の波長特性を示すものである。ここでは、例えば８つの波長λ１〜λ８のチャネル光が等間隔で配置されている場合を考えることにする。なお、各チャネル光のスペクトラムピークの下部に見られるのがＡＳＥ光成分である。
【００８６】
図８（Ｂ）は、ＷＣＳＦ３’のポートＰｃからポートＰ１への透過波長特性を模式的に示したものである。具体的には、各波長λ１〜λ８をそれぞれ中心とする所定の波長幅について透過率が高くなり、各波長λ１〜λ８の中間に位置する所定の波長幅について透過率が低くなる。なお、ポートＰｃからポートＰ２への透過波長特性は、（Ｂ）の特性を反転させたものとなる。
【００８７】
図８（Ｃ）は、ＷＣＳＦ３’のポートＰ１からの出力光についての光電力の波長特性を示すものであって、各波長λ１〜λ８のチャネル光およびその近傍のＡＳＥ光を含んだ信号成分が、ポートＰ１から出力されることが分かる。また、図８（Ｄ）は、ＷＣＳＦ３’のポートＰ２からの出力光についての光電力の波長特性を示すものであって、各波長λ１〜λ８のチャネル光を含まない中間波長域のＡＳＥ光成分が、ポートＰ２から出力されることが分かる。
【００８８】
ＯＳＮＲモニタ１３は、電気フィルタ５1から出力される信号成分に対応した電気信号と、電気フィルタ５2から出力される雑音成分に対応した電気信号とに基づいて、出力信号光についてのＯＳＮＲの平均値を演算し、その結果をＯＳＮＲモニタ信号として出力するものである。
【００８９】
ここで、ＯＳＮＲモニタ１３におけるＯＳＮＲの演算方法について具体的に説明する。
まず、図８（Ｃ）に示すように、ＷＣＳＦ３’のポートＰ１から出力される信号成分のトータル光パワーＰ１totalは、各波長チャネル光のパワー（信号光トータルパワー）ＰSIG-totalおよび各波長チャネル光の近傍のＡＳＥ光パワーＰASE1-totalの各値を用いて、次の（１）式で表すことができる。
【００９０】
Ｐ１total＝ＰSIG-total＋ＰASE1-total  …（１）
また、図８（Ｄ）に示すように、ＷＣＳＦ３’のポートＰ２から出力される雑音成分のトータル光パワーＰ２totalは、各波長チャネル光の中間波長域におけるＡＳＥ光パワーＰASE2-totalの各値を用いて、次の（２）式で表すことができる。
【００９１】
Ｐ２total＝ＰASE2-total  …（２）
ここで、ＰASE1-total≒ＰASE2-totalと考えることができるため、上記（１）式および（２）式より、信号光トータルパワーＰSIG-totalは次の（３）式で表すことができると共に、雑音光トータルパワーＰASE-totalは次の（４）式で表すことができる。
【００９２】
ＰSIG-total≒Ｐ１total−Ｐ２total  …（３）
ＰASE-total≒Ｐ２total×２  …（４）
ここで、１つの波長チャネル光あたりの平均の光パワーＰSIG-averageは、使用されている波長チャネル数をｍとして、次の（５）式で表される。
【００９３】
ＰSIG-average＝ＰSIG-total／ｍ  …（５）
また、１つの波長チャネル光あたりの平均の雑音光パワーＰASE-averageは、光アンプの増幅帯域幅をΔλとし、また、例えば受信局におけるＤＭＵＸ等の波長チャネル帯域幅（規格化帯域幅）をΔλchとして、次の（６）式で表される。
【００９４】
ＰASE-average＝ＰASE-total×Δλch／Δλ  …（６）
従って、出力信号光についてのＯＳＮＲの平均値ＯＳＮＲaverageは、上記（３）式〜（６）式を用いることにより、次の（７）式で表すことができる。
【００９５】
0004498509.tif 000002
上記のような構成の制御装置では、第１実施形態の場合と同様にして、入力信号光が光レベル制御部１で増幅等された後、光カプラ２を介して外部に出力されると共に、その出力信号光の一部が分岐されてＷＣＳＦ３’のポートＰｃに送られる。
【００９６】
ＷＣＳＦ３’では、ポートＰｃから入力されたＷＤＭ信号光が信号成分および雑音成分に分離され、ポートＰ１およびポートＰ２からそれぞれ出力される。ここで注目すべきは、ポートＰ１から出力されるモニタ光に含まれるＡＳＥ光成分の割合が、ポートＰｃに入力されるモニタ光に含まれるＡＳＥ光成分の割合に比べて、使用波長チャネル数に関係なく約半分に減少することである（図８（Ａ）（Ｃ）（Ｄ）を参照のこと）。これにより、後段の光／電気変換部４1で検出されるトータル光パワーに占めるＡＳＥ光成分の割合が軽減され、ＡＬＣのレベルモニタ誤差がＷＣＳＦ３’を用いることによって改善されるようになる。
【００９７】
ＷＣＳＦ３’で分離された信号成分および雑音成分の各光信号は、光／電気変換部４1，４2で光電変換された後に電気フィルタ５1，５2に送られる。そして、電気フィルタ５1から出力される信号成分に対応したモニタ信号は、比較器７およびＯＳＮＲモニタ１３に送られ、一方、電気フィルタ５2から出力される雑音成分に対応したモニタ信号は、ＯＳＮＲモニタ１３に送られる。
【００９８】
比較器７では、第１実施形態の場合と同様にして、電気フィルタ５1からのモニタ信号レベルが基準信号レベルと比較され、レベル差に応じた出力信号が光レベル制御部１に送られる。なお、ここで用いられる基準信号は、入力信号光に含まれる使用波長数に応じて設定された信号である。光レベル制御部１では、比較器７からの出力信号で示されるレベル差に応じて光アンプの利得等が調整され、出力信号光のレベルを一定にする制御が行われる。
【００９９】
また、ＯＳＮＲモニタ１３では、電気フィルタ５1からのモニタ信号で示されるＰ１totalの値と、電気フィルタ５2からのモニタ信号で示されるＰ２totalの値と、使用波長に関するチャネル情報（具体的には、使用波長数ｍ、光アンプの増幅帯域幅Δλおよび規格化帯域幅Δλch）とを用いて、上記（７）式の関係により、出力信号光についてのＯＳＮＲの平均値ＯＳＮＲaverageが演算され、その結果がＯＳＮＲモニタ信号として出力される。
【０１００】
上記のように第４実施形態によれば、ＡＬＣのモニタ光として分岐した出力信号光の一部をＷＣＳＦ３’を用いて信号成分と雑音成分に分離し、信号成分のモニタ光パワーに基づいて光レベル制御部１を出力レベル一定制御するようにしたことで、ＡＳＥ光成分によるＡＬＣのレベルモニタ誤差が軽減されるため、精度の高いＡＬＣ動作を実現することが可能になる。また、ＷＣＳＦ３’で分離した信号成分および雑音成分に対応するモニタ信号を利用することにより、出力信号光についての平均のＯＳＮＲが、光信号のスペクトラムを測定することなく、簡易的にモニタできる。
【０１０１】
次に、本発明の第５実施形態について説明する。ここでは、モニタ用として分岐したＷＤＭ信号光をＷＣＳＦを用いて信号成分と雑音成分とに分離してＡＧＣを行うようにした場合を考える。
【０１０２】
図９は、第５実施形態にかかる波長多重用光アンプの制御装置の構成を示す図である。
図９において、本装置は、上記第４実施形態の構成について、光レベル制御部１の入力側にも入力信号光の一部をモニタする構成を配置し、入出力光のレベル差を基に光レベル制御部１をＡＧＣ動作させるものである。また、上述の図３に示した第３実施形態の構成と比較した場合に本装置の構成が異なる部分は、入力側のＷＣＳＦ９および出力側のＷＣＳＦ３に代えて、ＷＣＳＦ９’および ＷＣＳＦ３’をそれぞれ使用すると共に、入力側および出力側の各モニタ信号選択制御部１２，６を省略して、電気フィルタ１１1，５1からの各出力信号を比較器７’に送る構成とし、さらに、入力信号光のＯＳＮＲを監視するＯＳＮＲモニタ１４および出力信号光のＯＳＮＲを監視するＯＳＮＲモニタ１３をそれぞれ設けた部分である。
【０１０３】
ＷＣＳＦ９’は、上述の図８に示したＷＣＳＦ６’と同様の通過波長特性を有し、光カプラ８で分岐された入力信号光の一部を信号成分および雑音成分に分離して、信号成分をポートＰ１から出力し、雑音成分をポートＰ２から出力するものである。
【０１０４】
ＯＳＮＲモニタ１４は、上述の第４実施形態で詳しく説明した出力側のＯＳＮＲモニタ１３と同様の機能を有し、電気フィルタ１１1から出力される信号成分に対応した電気信号と、電気フィルタ１１2から出力される雑音成分に対応した電気信号とに基づいて、入力信号光についてのＯＳＮＲの平均値を演算し、その結果をＯＳＮＲモニタ信号として出力するものである。
【０１０５】
上記のような構成の制御装置では、光レベル制御部１に対して入出力される各ＷＤＭ信号光の一部が光カプラ８，２で分岐されて各ＷＣＳＦ９’，３’のポートＰｃにそれぞれ送られる。各ＷＣＳＦ９’，３’では、ポートＰｃに入力されたＷＤＭ信号光が信号成分および雑音成分に分離され、ポートＰ１およびポートＰ２からそれぞれ出力される。各ＷＣＳＦ９’，３’のポートＰ１，Ｐ２からの出力光は、各々のポートに接続された光／電気変換部１０1，１０2，４1，４2で電気信号に変換された後に、電気フィルタ１１1，１１2，５1，５2にそれぞれ送られる。そして、電気フィルタ１１1，５1から出力される信号成分に対応した各モニタ信号は、比較器７’に送られると共に、ＯＳＮＲモニタ１４，１３に送られ、一方、電気フィルタ１１2，５2から出力される雑音成分に対応したモニタ信号は、ＯＳＮＲモニタ１４，１３に送られる。
【０１０６】
比較器７’では、第２実施形態の場合と同様にして、入力側の電気フィルタ１１1からのモニタ信号レベルと、出力側の電気フィルタ５1からのモニタ信号レベルとが比較され、レベル差に応じた出力信号が光レベル制御部１に送られる。光レベル制御部１では、比較器７’からの出力信号に応じて光アンプ等の光増幅動作（利得設定）が調整され、利得一定制御が行われる。
【０１０７】
また、入力側および出力側の各ＯＳＮＲモニタ１４，１３では、電気フィルタ１１1，５1からのモニタ信号で示されるＰ１totalの値と、電気フィルタ１１2，５2からのモニタ信号で示されるＰ２totalの値と、使用波長に関するチャネル情報とを用いて、上記（７）式の関係により、入力信号光および出力信号光についての各ＯＳＮＲの平均値ＯＳＮＲaverageが演算され、その結果がＯＳＮＲモニタ信号としてそれぞれ出力される。
【０１０８】
上記のように第５実施形態によれば、ＡＧＣのモニタ光として分岐した入力信号光の一部および出力信号光の一部をＷＣＳＦ９’およびＷＣＳＦ３’を用いて信号成分と雑音成分にそれぞれ分離し、各信号成分のモニタ光パワーに基づいて光レベル制御部１を利得一定制御するようにしたことで、ＡＳＥ光成分によるＡＧＣのレベルモニタ誤差が軽減されるため、精度の高いＡＧＣ動作を実現することが可能になる。また、ＷＣＳＦ９’およびＷＣＳＦ３’でそれぞれ分離した信号成分および雑音成分に対応するモニタ信号を利用することにより、入力信号光および出力信号光についての各平均ＯＳＮＲが、光信号のスペクトラムを測定することなく、簡易的にモニタできる。
【０１０９】
なお、上記の第５実施形態では、入力側および出力側の両方についてＯＳＮＲモニタを設けるようにしたが、本発明はこれに限らず、入力側若しくは出力側の一方にだけＯＳＮＲモニタを設けるようにしても構わない。また、ＯＳＮＲをモニタする必要がない場合には、ＯＳＮＲモニタを省略することも可能である。さらに、上述した第３実施形態の場合と同様にして、第４実施形態の構成と第５実施形態の構成とを組み合わせてＡＬＣとＡＧＣとを同時に実現させる応用も可能であることは明らかである。
【０１１０】
【発明の効果】
以上説明したように、本発明による波長多重用光アンプの制御装置および制御方法によれば、光アンプの制御用として用いるモニタ光を、例えば偶数グループおよび奇数グループ等の複数の波長グループに分離し、１つの波長グループについて測定された光パワーに基づいて、光アンプの動作を制御するようにしたことで、雑音光の影響による制御誤差が軽減されるため、精度の高い光アンプのレベル制御を実現できる。
【０１１１】
また、波長チャネルの増設または減設を行う場合にも、増減設される波長チャネルを含まない波長グループを選択して光アンプの制御を行うようにしたことで、ＡＬＣを継続して行うことができ、伝送路の損失の変動等による入力信号光レベルのドリフトを抑圧することが可能になる。
【０１１２】
さらに、波長チャネルの増減設時における、ＡＧＣの制御ループの応答速度による制限も軽減することが可能である。
加えて、光アンプの制御用としてモニタされる信号成分および雑音成分の各光パワーを利用して、波長多重信号光のＯＳＮＲの平均値を簡易的に算出することも可能になる。
【図面の簡単な説明】
【図１】本発明の第１実施形態の構成を示すブロック図である。
【図２】同上第１実施形態で用いるＷＣＳＦの透過波長特性を説明する図である。
【図３】本発明の第２実施形態の構成を示すブロック図である。
【図４】本発明の第３実施形態の構成を示すブロック図である。
【図５】同上第３実施形態の波長チャネル増設（減設）時における動作の一例を示したフローチャートである。
【図６】第１〜３実施形態で関連した他の光分離手段の特性例を説明する図である。
【図７】本発明の第４実施形態の構成を示すブロック図である。
【図８】同上第４実施形態で用いるＷＣＳＦの透過波長特性を説明する図である。
【図９】本発明の第５実施形態の構成を示すブロック図である。
【図１０】一般的なＡＬＣ方式の構成例を示すブロック図である。
【図１１】一般的なＡＧＣ方式の構成例を示すブロック図である。
【図１２】一般的なＡＬＣ方式において波長チャネル数が変動した時の変化を示す図である。
【図１３】一般的なＡＧＣ方式において波長チャネル数が変動した時の様子を示す図である。
【図１４】増幅された光波長多重伝送信号のスペクトラム例を示す図である。
【符号の説明】
１…光レベル制御部
２，８…光カプラ
３，３’，９，９’…波長チャネル分離フィルタ（ＷＣＳＦ）
４1，４2，１０1，１０2…光／電気変換部
５1，５2，１１1，１１2…電気フィルタ
６，１２…モニタ信号選択制御部
７，７’…比較器
１３，１４…ＯＳＮＲモニタ
１Ａ…前段光増幅部
１Ｂ…後段光増幅部
１Ｃ…可変光アッテネータ
２０…ＯＳＣ受光部
２１…光アンプ総合制御部
２２…ＯＳＣ発光部
２３…ＡＬＣ基準信号制御部
【図１】
0004498509.tif 000003
【図２】
0004498509.tif 000004
【図３】
0004498509.tif 000005
【図４】
0004498509.tif 000006
【図５】
0004498509.tif 000007
【図６】
0004498509.tif 000008
【図７】
0004498509.tif 000009
【図８】
0004498509.tif 000010
【図９】
0004498509.tif 000011
【図１０】
0004498509.tif 000012
【図１１】
0004498509.tif 000013
【図１２】
0004498509.tif 000014
【図１３】
0004498509.tif 000015
【図１４】
0004498509.tif 000016